(57)【要約】【課題】たとえ遊技盤自体や遊技盤が設置されるフレーム部材等に膨張又は収縮による変形が生じたとしても、遊技盤と発射装置との位置関係がズレず、常に遊技球を正常に遊技領域へ打ち込むことができるパチンコ機を提供する。【解決手段】遊技盤２及び発射装置２０を、基台２１を介して一体化するとともに、基台２１のみをミドル枠５に固定した状態で、遊技盤２及び発射装置２０を備えるようにした。したがって、遊技盤２と発射装置２０とをそれぞれ別個にミドル枠５へ固定するような従来のものと比較すると、ミドル枠５が熱により膨張又は収縮した際に、遊技盤２と発射装置２０との相対的な位置関係、すなわち遊技盤２の前面に形成されている発射通路と発射装置２０との相対的な位置関係がズレにくい。したがって、たとえミドル枠５が膨張又は収縮したとしても、遊技球を正確に発射通路へと打ち込むことができる。【選択図】図４
2010004947.tif 000002
【特許請求の範囲】
【請求項１】
パチンコ機本体を支持する機枠に合成樹脂製の板状部材であるミドル枠が片開き可能に取り付けられているとともに、遊技球が流下可能な遊技領域が前面に形成された遊技盤、及び前記遊技領域へ前記遊技球を打ち込むための発射装置を備えたパチンコ機であって、
前記遊技盤と前記発射装置とを連結部材により一体化するとともに、
前記連結部材のみを前記ミドル枠に固定した状態で、前記遊技盤及び前記発射装置が備えられていることを特徴とするパチンコ機。
【請求項２】
パチンコ機本体を支持する機枠に合成樹脂製の板状部材であるミドル枠が片開き可能に取り付けられているとともに、遊技球が流下可能な遊技領域が前面に形成された遊技盤、及び前記遊技領域へ前記遊技球を打ち込むための発射装置を備えたパチンコ機であって、
前記遊技盤と前記発射装置とを連結部材により一体化するとともに、
前記連結部材と前記遊技盤又は前記発射装置の何れか一方とを前記ミドル枠に固定した状態で、前記遊技盤及び前記発射装置が備えられていることを特徴とするパチンコ機。
【請求項３】
前記連結部材が、金属製板状の基台であり、当該基台に、前記遊技盤が固着される第１突起部と、前記発射装置が固着される固着部とを設ける一方、
前記遊技盤に、前記第１突起部を圧入可能な固定孔を設け、
前記突起部を前記固定孔へ圧入することにより、前記遊技盤を前記基台に固着可能としたことを特徴とする請求項１又は２に記載のパチンコ機。
【請求項４】
パチンコ機本体を支持する機枠に合成樹脂製の板状部材であるミドル枠が片開き可能に取り付けられているとともに、遊技球が流下可能な遊技領域が前面に形成された遊技盤、及び前記遊技領域へ前記遊技球を打ち込むための発射装置を備えたパチンコ機であって、
前記遊技盤及び前記発射装置に、両者を一体化するための一体化手段を設けるとともに、
一体化された状態における前記遊技盤又は前記発射装置の何れか一方のみを前記ミドル枠に固定した状態で、前記遊技盤及び前記発射装置が備えられていることを特徴とするパチンコ機。
【発明の詳細な説明】
【技術分野】
【０００１】
本発明は、遊技球を遊技領域内へ打ち込むための発射装置を有するパチンコ機に関するものである。
【背景技術】
【０００２】
従来周知のパチンコ機には、遊技球を遊技領域内へ打ち込むための発射装置が設置されている。そして、発射装置の設置に関し、たとえば特許文献１に記載のパチンコ機において、発射装置は、合成樹脂製の枠部材を介して金属製のフレームに固定されている。一方、特許文献１に記載のパチンコ機において、遊技領域が前面に形成される遊技盤は、枠部材とは別に金属製フレームへ取り付けられている。
【０００３】
【特許文献１】特開平１１−３３３１１０号公報
【発明の開示】
【発明が解決しようとする課題】
【０００４】
近年、従来金属製とされていたフレーム部材（特許文献１における金属製のフレーム等）も合成樹脂により成形されることがある。しかしながら、合成樹脂は熱（たとえば液晶表示装置等が発生する熱）により膨張又は収縮しやすいという問題を有している。したがって、上記特許文献１に記載の構成では、遊技盤と発射装置とが別個にフレーム部材へ取り付けられているため、熱による各フレーム部材の膨張又は収縮に起因して、発射装置と遊技盤（特に、遊技盤に設置されているレール部材）との位置関係がズレてしまい、発射装置が発射する遊技球がレール部材間へ正常に打ち込まれなくなるという事態が起こり得る。
【０００５】
そこで、本発明は、上記問題に鑑みなされたものであって、たとえフレーム部材に膨張又は収縮による変形が生じたとしても、遊技盤と発射装置との位置関係がズレず、常に遊技球を正常に遊技領域へ打ち込むことができるパチンコ機を提供しようとするものである。
【課題を解決するための手段】
【０００６】
上記目的を達成するために、本発明のうち請求項１に記載の発明は、パチンコ機本体を支持する機枠に合成樹脂製の板状部材であるミドル枠が片開き可能に取り付けられているとともに、遊技球が流下可能な遊技領域が前面に形成された遊技盤、及び前記遊技領域へ前記遊技球を打ち込むための発射装置を備えたパチンコ機であって、前記遊技盤と前記発射装置とを連結部材により一体化するとともに、前記連結部材のみを前記ミドル枠に固定した状態で、前記遊技盤及び前記発射装置が備えられていることを特徴とする。
また、上記目的を達成するために、本発明のうち請求項２に記載の発明は、パチンコ機本体を支持する機枠に合成樹脂製の板状部材であるミドル枠が片開き可能に取り付けられているとともに、遊技球が流下可能な遊技領域が前面に形成された遊技盤、及び前記遊技領域へ前記遊技球を打ち込むための発射装置を備えたパチンコ機であって、前記遊技盤と前記発射装置とを連結部材により一体化するとともに、前記連結部材と前記遊技盤又は前記発射装置の何れか一方とを前記ミドル枠に固定した状態で、前記遊技盤及び前記発射装置が備えられていることを特徴とする。
請求項３に記載の発明は、請求項１又は２に記載の発明において、前記連結部材が、金属製板状の基台であり、当該基台に、前記遊技盤が固着される第１突起部と、前記発射装置が固着される固着部とを設ける一方、前記遊技盤に、前記第１突起部を圧入可能な固定孔を設け、前記突起部を前記固定孔へ圧入することにより、前記遊技盤を前記基台に固着可能としたことを特徴とする。
さらに、上記目的を達成するために、本発明のうち請求項４に記載の発明は、パチンコ機本体を支持する機枠に合成樹脂製の板状部材であるミドル枠が片開き可能に取り付けられているとともに、遊技球が流下可能な遊技領域が前面に形成された遊技盤、及び前記遊技領域へ前記遊技球を打ち込むための発射装置を備えたパチンコ機であって、前記遊技盤及び前記発射装置に、両者を一体化するための一体化手段を設けるとともに、一体化された状態における前記遊技盤又は前記発射装置の何れか一方のみを前記ミドル枠に固定した状態で、前記遊技盤及び前記発射装置が備えられていることを特徴とする。
【発明の効果】
【０００７】
請求項１に記載の発明によれば、連結部材を介して遊技盤と発射装置とを一体化するとともに、遊技盤及び発射装置が、連結部材のみをミドル枠に固定した状態で備えられているため、遊技盤と発射装置とをそれぞれ別個にミドル枠へ固定するような従来のものと比べて、ミドル枠が熱により膨張又は収縮した際に、遊技盤と発射装置との相対的な位置関係がズレにくい。したがって、ミドル枠が膨張又は収縮したとしても、遊技球を正確に遊技領域へ打ち込むことができる。また、連結部材を介して遊技盤と発射装置とを一体化しているため、遊技盤及び発射装置に両者を一体化するための一体化手段を設ける必要がない。つまり、たとえば遊技盤や発射装置に連結部材を固着するための孔等を設けるだけで構成可能であるため、既存の遊技盤や発射装置を用いて容易に構成可能であり、汎用性に富む。
請求項２に記載の発明によれば、連結部材を介して遊技盤と発射装置とを一体化するとともに、遊技盤及び発射装置が、連結部材と遊技盤又は発射装置の何れか一方とをミドル枠に固定した状態で備えられているため、遊技盤と発射装置とをそれぞれ別個にミドル枠へ固定するような従来のものと比べて、ミドル枠が熱により膨張又は収縮した際に、遊技盤と発射装置との相対的な位置関係がズレにくい。したがって、ミドル枠が膨張又は収縮したとしても、遊技球を正確に遊技領域へ打ち込むことができる。また、連結部材を介して遊技盤と発射装置とを一体化しているため、遊技盤及び発射装置に両者を一体化するための一体化手段を設ける必要がない。つまり、たとえば遊技盤や発射装置に連結部材を固着するための孔等を設けるだけで構成可能であるため、既存の遊技盤や発射装置を用いて容易に構成可能であり、汎用性に富む。
請求項３に記載の発明によれば、連結部材を、金属製板状の基台としているため、熱による影響を受けにくくなっており、基台を介在させたとしても、遊技盤と発射装置との相対的な位置関係の維持効果が高い。また、基台に、遊技盤が固着される第１突起部を設ける一方、遊技盤に、第１突起部を圧入可能な固定孔を設け、突起部を固定孔へ圧入することにより、遊技盤を基台に固着可能としている。したがって、遊技盤の基台への固着を容易に行うことができる。
請求項４に記載の発明によれば、遊技盤及び発射装置に、両者を一体化するための一体化手段を設けるとともに、遊技盤及び発射装置が、一体化された状態における遊技盤又は発射装置の何れか一方のみをミドル枠に固定した状態で備えられているため、ミドル枠に遊技盤と発射装置とそれぞれ別個に固定するような従来のものと比べて、ミドル枠が熱により膨張又は収縮した際に、遊技盤と発射装置との相対的な位置関係がズレにくい。したがって、ミドル枠が膨張又は収縮したとしても、遊技球を正確に遊技領域へ打ち込むことができる。
【発明を実施するための最良の形態】
【０００８】
以下、本発明の一実施形態となるパチンコ機について、図面をもとに詳細に説明する。
【０００９】
（パチンコ機の説明）
図１は、パチンコ機１を前面側から示した説明図であり、図２は、前扉、供給皿、及び貯留皿を取り外した状態にあるパチンコ機１を前面側から示した説明図である。
パチンコ機１は、遊技盤２の前面に形成された遊技領域２ａ内へ遊技球を打ち込み、遊技領域２ａ内を流下させて遊技するものであって、遊技盤２は、支持体として機能する機枠３の前面上部に、合成樹脂製のフレーム部材であるミドル枠５を介して設置されている。また、遊技盤２の前方には、ガラス扉を嵌め込み設置してなる前扉４が、左端縁を軸として片開き可能に機枠３に蝶着されており、該前扉４によって閉塞される遊技盤２の前方空間が遊技領域２ａとされている。
【００１０】
当該遊技領域２ａは、遊技盤２の前面に円弧状に配設された外レール１５及び内レール１６（図１では前扉４により隠れている）等によって囲まれており、両レール間が、後述する発射装置２０により発射された遊技球を遊技領域２ａ上部へ導くための発射通路１７とされている。また、遊技領域２ａの略中央には、「０」〜「９」の数字や絵柄等からなる「図柄」を表示するための図柄表示部６が設けられている。さらに、遊技領域２ａには、図示しない多数の遊技釘、遊技球が通過可能なゲート部材、一対の爪片を開閉動作可能に備えたチューリップ式電動役物、開閉可能な扉部材を有する大入賞装置、風車等が設置されている。
【００１１】
また、機枠３の前面側であって上記遊技盤２の下方には、遊技球を発射装置２０へ供給するための供給皿７、及び供給皿７から溢れた遊技球を貯留するための貯留皿８が機枠３に対して夫々片開き可能に取り付けられている。さらに、貯留皿８の右側には、発射装置２０を作動させるための操作ハンドル９が回動操作可能に設置されている。加えて、遊技盤２の下部には、遊技球を両レール間へ発射するための発射装置２０が、後述する基台２１を介して遊技盤２よりも下方へ突出するように設置されている。
【００１２】
一方、機枠３の後面側には、供給皿７へ貸球や賞品球として払い出される遊技球を貯留するための貯留タンク、当該貯留タンクと連結された払い出し装置、図柄表示部６に「図柄」を表示させるための液晶表示装置、払い出し装置や図柄表示装置等の動作を統合的に制御するサブ統合基板を内蔵したサブ制御装置、及び遊技に係る制御（たとえば、所謂「大当たり抽選」等）を実行するためのメイン制御基板を内蔵してなるメイン制御装置（いずれも図示せず）が取り付けられている。
【００１３】
以上のようなパチンコ機１では、遊技者によって操作ハンドル９が回動操作されると、発射装置２０が作動して遊技球が発射通路１７を通って遊技領域２ａ内へ打ち込まれる。そして、遊技領域２ａ内を流下する遊技球がチューリップ式電動役物へ入賞すると、メイン制御基板にて「大当たり抽選」を行い、所謂「大当たり」である場合には、図柄表示部６に「図柄」を所定の態様（たとえば、「７、７、７」等）で表示させた後、大入賞装置の扉部材を所定回数にわたって断続的に開成させるといった所謂「大当たり状態」を生起させる。
【００１４】
（発射装置の設置に係る説明）
次に、本発明の要部となる発射装置２０の設置に係る構成について、図３及び図４をもとに説明する。
図３は、発射装置２０及び基台２１を拡大して示した斜視説明図であり、図４は、遊技盤２、ミドル枠５、及び基台２１の分解状態を示した斜視説明図である。また、図５は、図４におけるＡ部を拡大して示した拡大説明図である。
【００１５】
発射装置２０は、ソレノイド等の駆動機構をケース部材３１の内部に収納してなるもので、ケース部材３１の前面には、前後方向を軸に揺動して遊技球を打撃する発射杵３２、発射杵３２の揺動が所定範囲内となるように規制する規制部材３３、３３等が設けられている。また、ケース部材３１の前面の左右側縁は、ケース部材３１の左右側面よりも夫々外方へ突出するフランジ部とされている。そして、当該フランジ部の上端部及び下端部には、それぞれ固着孔３４が穿設されており、発射装置２０を、後述する基台２１の支持突起２２先端にフランジ部の後面を当接させた状態でネジ止め可能としている。
【００１６】
また、基台２１は、金属薄板からなる本体２１ａを有し、当該本体２１ａの左部には、発射装置２０のケース部材３１が挿通可能な窓２４が開設されている。そして、当該窓２４の周囲には、発射装置２０を支持するための４つの支持突起２２、２２・・が前方へ突設されている。また、本体２１ａの上縁には、基台２１と遊技盤２とを固着するための２つの固定突起２３、２３が前方へ突設されている。さらに、基台２１には、基台２１をミドル枠５の後面にネジ止めするための複数のネジ孔２４、２４・・が穿設されている。
【００１７】
一方、ミドル枠５は、合成樹脂製の板状部材であって、その中央には、遊技盤２を収容可能な収容凹部４１が設けられている。当該収容凹部４１の右下部には、基台２１の固定突起２３、２３を遊挿可能な一対の丸孔４２、４２が穿設されている。また、収容凹部４１の左上部には、収容されるミドル枠５を固定位置に位置決めするための位置決め突起５０が設けられている。さらに、ミドル枠５には、収容された遊技盤２の前後方向へのぐらつきを防止するための押し止め部材（図示せず）が設けられている。尚、遊技盤２の右下部で、収容凹部４１へ収容した際に丸孔４２、４２と対応する位置には、固定突起２３、２３を圧入可能な固定孔１０、１０が設けられている。また、遊技盤２の左上部には、位置決め突起５０が嵌入可能な位置決め孔５１が穿設されている。
【００１８】
また、収容凹部４１の下方には、発射装置２０から発射された遊技球を発射通路１７へ導くための誘導部材４３や供給皿７から溢れた遊技球を貯留皿８へ案内する案内機構４４等が設置された平板状の機構部４５が設けられている。そして、当該機構部４５には、発射装置２０のケース部材３１を遊挿可能な取付孔４６が開設されている。当該取付孔４６の前面側の左右側縁は、発射装置２０のフランジ部と同形状で且つ機構部４５の前面よりも後方へ凹んだ段部４７、４７とされており、当該段部４７内には、基台２１の支持突起２２、２２・・を挿通可能な挿通孔４８、４８・・が穿設されている。
【００１９】
ここで、上記構成を有する発射装置２０及び基台２１の設置方法について説明する。
まず、遊技盤２を収容凹部４１内へ収容する。このとき、収容凹部４１内に設けられている位置決め突起５０を遊技盤２の位置決め孔５１へ嵌入させて、遊技盤２の位置決めを行うとともに、押し止め部材により前後方向へがたつかないように押し止めする。
次に、基台２１の固定突起２３、２３を、ミドル枠５の後方から丸孔４２、４２内へ遊挿させ、その先端を固定孔１０、１０内へ圧入させて遊技盤２と基台２１とを固着するとともに、基台２１をミドル枠５の後面にネジ止めして、基台２１及び遊技盤２を固定する。このとき、基台２１の支持突起２２、２２・・は、機構部４５の挿通孔４８、４８・・に挿通され、その先端が段部４７よりも若干前方へ突出した状態となっている。
さらに、発射装置２０のケース部材３１を機構部４５の前方から取付孔４６内へ遊挿し、フランジ部の後面を支持突起２２、２２・・の先端面に当接させた状態で各固着孔３４へネジを螺入して、発射装置２０を基台２１に固着することにより、発射装置２０は設置完了となる。このとき、ケース部材３１は、窓２４を介して基台２１よりも更に後方へ突出している。
【００２０】
（発明の効果）
以上のような構成を有するパチンコ機１によれば、遊技盤２と発射装置２０とが基台２１を介して連結され一体化されているとともに、その基台２１のみをミドル枠５にネジ止めして固定している。したがって、発射装置と遊技盤とを夫々別個にミドル枠へ固定する従来のものと異なり、たとえミドル枠５が熱により膨張又は収縮したとしても、遊技盤２と発射装置２０との相対的な位置関係、すなわち遊技盤２の前面に形成されている発射通路１７と発射装置２０との相対的な位置関係がズレにくく、常に遊技球を正確に発射通路１７へと打ち込むことができる。
【００２１】
また、基台２１と遊技盤２とを固着するにあたっては、各固定突起２３の固定孔１０内への圧入により可能としている。したがって、遊技盤２の基台２１への固着を容易に行うことができる。さらに、基台２１を金属製としているため、熱による影響を受けにくくく、発射通路１７と発射装置２０との相対的な位置関係の維持効果が高い。
加えて、発射装置２０とは別部材となる基台２１を用いて遊技盤２と発射装置２０とを一体化しているため、発射装置２０や遊技盤２等に両者を一体化するための突起や係止片等を新たに成形する必要がない。つまり、発射装置２０には固着孔３４を、遊技盤２には固定孔１０を夫々設けるだけで構成可能であるため、既存の発射装置や遊技盤を採用して構成しやすく、汎用性に富む。
【００２２】
（本発明の変更例）
なお、本発明のパチンコ機に係る構成は、上記実施形態に何ら限定されるものではなく、発射装置、基台、遊技盤、及びミドル枠等の構成について、本発明の趣旨を逸脱しない範囲で必要に応じて適宜変更可能である。
【００２３】
たとえば、上記実施形態では基台を用いて遊技盤及び発射装置を一体化するという構成を採用しているが、遊技盤及び／又は発射装置に、他方へ固着するための一体化手段、たとえば係止片や遊技盤の下端部を挟持可能な挟持片等を設け、基台等の別部材を用いることなく遊技盤と発射装置とを一体化する構成としてもよい。さらに、上記実施形態とは逆に、遊技盤側に突起を、基台又は発射装置側に孔を夫々形成して、遊技盤と発射装置とを一体化するようにしてもよいし、一体化する位置や一体化手段（突起や孔、係止片等）の数や形状等について適宜設計変更可能であることは言うまでもない。
また、上記実施形態では基台のみをミドル枠に固定する構成を採用しているが、基台とともに遊技盤又は発射装置の何れか一方もミドル枠に固定し、ミドル枠に安定して固定されるように構成してもよい。
さらに、基台を用いずに遊技盤と発射装置とを一体化したものについては、遊技盤又は発射装置の何れか一方のみをミドル枠に固定するという構成を採用すれば、両者の相対的な位置関係の維持に係り、上記実施形態と同様の効果を奏することができる。この具体的構成としては、たとえばミドル枠に少なくとも２つの固定突起又は固定孔を、遊技盤に固定孔又は固定突起を設け、固定突起の固定孔への嵌入により遊技盤をミドル枠へ固定する構成等が考えられる。なお、このとき遊技盤の対角等ではなく何れか一角部を複数の固定突起及び固定孔により固定する構成とすれば、固定突起同士の間隔が狭くなるため、ミドル枠が熱により膨張又は収縮した際に、その膨張又は収縮に起因してミドル枠に生じる歪みを低減することができるという効果がある。
【図面の簡単な説明】
【００２４】
【図１】パチンコ機を前面側から示した説明図である。
【図２】前扉、供給皿、及び貯留皿を取り外した状態にあるパチンコ機を前面側から示した説明図である。
【図３】発射装置及び基台を拡大して示した斜視説明図である。
【図４】遊技盤、ミドル枠、及び基台の分解状態を示した斜視説明図である。
【図５】図４におけるＡ部を拡大して示した拡大説明図である。
【符号の説明】
【００２５】
１・・パチンコ機、２・・遊技盤、５・・ミドル枠、１０・・固定孔、１７・・発射通路、２０・・発射装置、２１・・基台（連結部材）、２２・・支持突起（固着部）、２３・・固定突起（突起部）、３１・・ケース部材、３４・・固着孔、４１・・収容凹部、４２・・丸孔、４６・・取付孔、４７・・段部、４８・・挿通孔。
【図１】
2010004947.tif 000003
【図２】
2010004947.tif 000004
【図３】
2010004947.tif 000005
【図４】
2010004947.tif 000006
【図５】
2010004947.tif 000007